(57)【要約】【課題】放送信号の符号化方式（ＨＤ方式、ＳＤ方式）に従うチャンネルを選局する際の利便性を改善する。【解決手段】放送受信装置１００は、受信する各論理チャンネル毎に、当該論理チャンネルを指す情報と、関連付けされた符号化情報とメモリ１０Ｂから読出しモニタ４０に出力する。したがって、チューナ１６が抽出する指定の物理チャンネルの放送信号から、指定された論理チャンネルの番組放送信号をＭＰＥＧデコーダ２２により選択的に抽出して出力する場合において、ユーザはモニタ４０に出力された各論理チャンネル毎の符号化情報を確認することで、リモコン６２から所望の符号化方式に従う論理チャンネルを容易に指定することができる。【選択図】図１
2009177706.tif 000002
【特許請求の範囲】
【請求項１】
物理チャンネルに多重化した複数の論理チャンネルを形成し、論理チャンネル毎に番組を放送するＤＶＢ−Ｔ（Digital Video Broadcasting for Terrestrial）規格に従うデジタルテレビジョン放送を受信する放送受信装置であって、
記憶部と、
放送局から送信されるデジタルテレビジョン放送信号を受信し、受信信号から、指定された物理チャンネルを選局することにより当該物理チャンネルの放送信号を抽出する選局部と、
前記選局部が抽出する放送信号に基づき、前記指定された物理チャンネルに多重化された論理チャンネル毎の番組放送信号の符号化方式を検出する符号化方式検出部と、
前記符号化方式検出部により検出された前記論理チャンネル毎の前記符号化方式を指す符号化情報と、当該論理チャンネルを指す情報とを関連付けて前記記憶部に格納する符号化情報格納部と、
外部から与えられる要求に応じて、各論理チャンネル毎に、当該論理チャンネルを指す情報と、関連付けされた前記符号化情報とを前記符号化情報格納部から読出して出力する出力部と、
前記選局部が抽出する放送信号から、指定された論理チャンネルの番組放送信号を選択的に抽出して出力する放送受信部と、
外部から入力される情報を受付ける情報受付け部と、を備え、
前記出力部は、
各論理チャンネル毎の当該論理チャンネルを指す情報と、関連付けされた前記符号化情報とからなる情報を、異なる前記符号化方式毎に区分して出力し、
前記符号化方式には、ＨＤＴＶ放送（ＨＤＴＶ（High Definition Television：高精細度テレビジョン）放送）の符号化方式と、ＳＤＴＶ（Standard Definition Television）放送（以下、ＳＤ放送と略す）の符号化方式とが含まれ、
前記外部から入力される情報には、前記物理チャンネルを指定する情報と前記論理チャンネルを指定する情報とが含まれる、放送受信装置。
【請求項２】
物理チャンネルに多重化した複数の論理チャンネルを形成し、論理チャンネル毎に番組を放送するデジタルテレビジョン放送を受信する放送受信装置であって、
記憶部と、
放送局から送信されるデジタルテレビジョン放送信号を受信し、受信信号から、指定された物理チャンネルを選局することにより当該物理チャンネルの放送信号を抽出する選局部と、
前記選局部が抽出する放送信号に基づき、前記指定された物理チャンネルに多重化された論理チャンネル毎の番組放送信号の符号化方式を検出する符号化方式検出部と、
前記符号化方式検出部により検出された前記論理チャンネル毎の前記符号化方式を指す符号化情報と、当該論理チャンネルを指す情報とを関連付けて前記記憶部に格納する符号化情報格納部と、
各論理チャンネル毎に、当該論理チャンネルを指す情報と、関連付けされた前記符号化情報とを前記符号化情報格納部から読出してチャンネルリストを出力する出力部と、
前記選局部が抽出する放送信号から、指定された論理チャンネルの番組放送信号を選択的に抽出して出力する放送受信部と、を備える、放送受信装置。
【請求項３】
前記出力部は、
各論理チャンネル毎の当該論理チャンネルを指す情報と、関連付けされた前記符号化情報とからなる情報を、異なる前記符号化方式毎に区分して前記チャンネルリストを出力する、請求項２に記載の放送受信装置。
【請求項４】
前記符号化方式には、ＨＤＴＶ放送（ＨＤＴＶ（High Definition Television：高精細度テレビジョン）放送）の符号化方式と、ＳＤＴＶ（Standard Definition Television）放送（以下、ＳＤ放送と略す）の符号化方式とが含まれる、請求項２または３に記載の放送受信装置。
【請求項５】
外部から入力される情報を受付ける情報受付け部をさらに備え、
前記外部から入力される情報には、前記物理チャンネルを指定する情報と前記論理チャンネルを指定する情報とが含まれる、請求項２から４のいずれかに記載の放送受信装置。
【請求項６】
前記出力部は、
外部から与えられる要求に応じて、各論理チャンネル毎に、当該論理チャンネルを指す情報と、関連付けされた前記符号化情報とを前記符号化情報格納部から読出してチャンネルリストを出力する、請求項２から５のいずれかに記載の放送受信装置。
【請求項７】
前記デジタルテレビジョン放送は、ＤＶＢ−Ｔ（Digital Video Broadcasting for Terrestrial）規格に従う放送である、請求項２から６のいずれかに記載の放送受信装置。
【発明の詳細な説明】
【技術分野】
【０００１】
この発明は放送受信装置に関し、特に、デジタルテレビジョン放送を受信することが可能な放送受信装置に関する。
【背景技術】
【０００２】
テレビジョン放送の受信装置では、ユーザによるチャンネルの選択をスムーズ、且つ容易にするために、受信可能な放送局に対応するチャンネルのリストが表示される。
【０００３】
テレビジョン放送受信装置において受信するチャンネルの一覧を表示する機能は、たとえば特許文献１〜４に示される。
【０００４】
特許文献１のテレビジョン受信装置は、チャンネル番号、変調方式を識別可能に表示するテーブルが提示される（特許文献１の表１を参照）。
【０００５】
特許文献２のテレビジョン放送受信装置は、追加チャンネルリストを表示部から表示する（特許文献２の段落０００７を参照）。
【０００６】
特許文献３のデジタル放送受信装置はチャンネル番号とチャンネル情報とを対応付けてチャンネルリストを表示する（特許文献３の段落０００８を参照）。
【０００７】
特許文献４のデジタル放送受信装置は同一の放送波が異なる変調方式で伝送されてくる場合、受信レベルに応じて再生モードを切替える（特許文献４の請求項１を参照）。
【特許文献１】特開２００６−１８６５１６号公報
【特許文献２】特開２００７−６７６４８号公報
【特許文献３】特開２００４−３３６５９５号公報
【特許文献４】特開２００７−２４３６９５号公報
【発明の開示】
【発明が解決しようとする課題】
【０００８】
近年は、デジタルテレビジョン放送としてＨＤＴＶ放送（ＨＤＴＶ（High Definition Television：高精細度テレビジョン）放送：以下、ＨＤ放送と略す）が普及しつつあるが、まだ、ＨＤ放送と標準放送といわれるＳＤＴＶ（Standard Definition Television）放送（以下、ＳＤ放送と略す）とが混在している。ＨＤ放送は、ＳＤ放送の符号化方式とは異なり、高精細画像を提供可能な特別な解像度およびアスペクト比を有する符号化方式に従う。したがって、ＨＤ放送未対応の放送受信装置では、ＨＤ放送を受信できても、ＨＤ放送のコンテンツを映し出すことはできないので、ＨＤ放送を受信するには、家庭内の放送受信装置として、ＨＤ放送の画像を出力するための特別な機能を有することが要求される。
【０００９】
ここで、デジタルテレビジョン放送は、番組のコンテンツ（映像・音声のデータ）を符号化して放送する。デジタルテレビジョン放送の１つの周波数帯域を指す物理チャンネルには、多数の論理チャンネルの番組コンテンツが多重化されている。そのため、多重化された１つの論理チャンネルの放送コンテンツはＳＤ放送の規格に従うが、他の論理チャンネルのコンテンツはＨＤ放送の規格に従うというように、放送信号にはＳＤ放送のチャンネルとＨＤ放送のチャンネルとが混在する。そこで、従来は、映し出される画面においては、現在のチャンネルがＳＤ放送かＨＤ放送かの別を示すように‘ＨＤ’または‘ＳＤ’の文字など、何らかの識別情報が表示される場合がある。
【００１０】
ここで、ユーザが所望チャンネルを選択するシーンを想定すると、ユーザの受信装置がＨＤ放送に対応していない場合も想定されるので、チャンネル選択に際してユーザに表示されるチャンネルのリストには、ＳＤ放送とＨＤ放送との区別を表示することが望ましい。
【００１１】
しかしながら、上述の特許文献１〜４など従来技術では、チャンネルのリストは表示するものの、放送信号の符号化方式に従った態様でチャンネルリストを表示することはされていない。したがってユーザは、いずれのチャンネルが自己の受信装置に適合したＨＤ放送であるか、またはＳＤ放送であるかの判別ができずに、所望チャンネルの選択に手間取る。
【００１２】
それゆえにこの発明の目的は、放送信号の符号化方式に従うチャンネルを選局する際の利便性が改善された放送受信装置を提供することである。
【課題を解決するための手段】
【００１３】
この発明のある局面に従うと、物理チャンネルに多重化した複数の論理チャンネルを形成し、論理チャンネル毎に番組を放送するＤＶＢ−Ｔ（Digital Video Broadcasting for Terrestrial）規格に従うデジタルテレビジョン放送を受信する放送受信装置は、記憶部と、放送局から送信されるデジタルテレビジョン放送信号を受信し、受信信号から、指定された物理チャンネルを選局することにより当該物理チャンネルの放送信号を抽出する選局部と、選局部が抽出する放送信号に基づき、指定された物理チャンネルに多重化された論理チャンネル毎の番組放送信号の符号化方式を検出する符号化方式検出部と、符号化方式検出部により検出された論理チャンネル毎の符号化方式を指す符号化情報と、当該論理チャンネルを指す情報とを関連付けて記憶部に格納する符号化情報格納部と、外部から与えられる要求に応じて、各論理チャンネル毎に、当該論理チャンネルを指す情報と、関連付けされた符号化情報とを符号化情報格納部から読出してチャンネルリストを出力する出力部と、選局部が抽出する放送信号から、指定された論理チャンネルの番組放送信号を選択的に抽出して出力する放送受信部と、外部から入力される情報を受付ける情報受付け部と、を備える。
【００１４】
そして、出力部は、各論理チャンネル毎の当該論理チャンネルを指す情報と、関連付けされた符号化情報とからなる情報を、異なる符号化方式毎に区分してチャンネルリストを出力し、符号化方式には、ＨＤＴＶ放送（ＨＤＴＶ（High Definition Television：高精細度テレビジョン）放送）の符号化方式と、ＳＤＴＶ（Standard Definition Television）放送（以下、ＳＤ放送と略す）の符号化方式とが含まれ、外部から入力される情報には、物理チャンネルを指定する情報と論理チャンネルを指定する情報とが含まれる。
【００１５】
この発明の他の局面に従うと、物理チャンネルに多重化した複数の論理チャンネルを形成し、論理チャンネル毎に番組を放送するデジタルテレビジョン放送を受信する放送受信装置は、記憶部と、放送局から送信されるデジタルテレビジョン放送信号を受信し、受信信号から、指定された物理チャンネルを選局することにより当該物理チャンネルの放送信号を抽出する選局部と、選局部が抽出する放送信号に基づき、指定された物理チャンネルに多重化された論理チャンネル毎の番組放送信号の符号化方式を検出する符号化方式検出部と、符号化方式検出部により検出された論理チャンネル毎の符号化方式を指す符号化情報と、当該論理チャンネルを指す情報とを関連付けて記憶部に格納する符号化情報格納部と、各論理チャンネル毎に、当該論理チャンネルを指す情報と、関連付けされた符号化情報とを符号化情報格納部から読出してチャンネルリストを出力する出力部と、選局部が抽出する放送信号から、指定された論理チャンネルの番組放送信号を選択的に抽出して出力する放送受信部と、を備える。
【００１６】
好ましくは、出力部は、各論理チャンネル毎の当該論理チャンネルを指す情報と、関連付けされた符号化情報とからなる情報を、異なる符号化方式毎に区分してチャンネルリストを出力する。
【００１７】
好ましくは、符号化方式には、ＨＤＴＶ放送（ＨＤＴＶ（High Definition Television：高精細度テレビジョン）放送）の符号化方式と、ＳＤＴＶ（Standard Definition Television）放送（以下、ＳＤ放送と略す）の符号化方式とが含まれる。
【００１８】
好ましくは、外部から入力される情報を受付ける情報受付け部をさらに備え、外部から入力される情報には、物理チャンネルを指定する情報と論理チャンネルを指定する情報とが含まれる。
【００１９】
好ましくは、出力部は、外部から与えられる要求に応じて、各論理チャンネル毎に、当該論理チャンネルを指す情報と、関連付けされた符号化情報とを符号化情報格納部から読出してチャンネルリストを出力する。
【００２０】
好ましくは、デジタルテレビジョン放送は、ＤＶＢ−Ｔ（Digital Video Broadcasting for Terrestrial）規格に従う放送である。
【発明の効果】
【００２１】
本発明によれば、放送受信装置は、受信する各論理チャンネル毎に、当該論理チャンネルを指す情報と、関連付けされた符号化情報とからなるチャンネルリストを出力する。したがって、選局部が抽出する指定の物理チャンネルの放送信号から、指定された論理チャンネルの番組放送信号を選択的に抽出して出力する場合において、ユーザは出力されたチャンネルリストの各論理チャンネルの符号化情報を確認することで、所望の符号化方式に従う論理チャンネルを容易に指定し、受信することができる。
【発明を実施するための最良の形態】
【００２２】
以下、この発明の実施の形態について図面を参照しながら詳細に説明する。なお、図面の同一または相当部分については、同一符号を付してその説明は繰返さない。
【００２３】
図１は、この発明の実施の形態に係るＨＤ放送を受信することのできる放送受信装置１００の概略構成図である。
【００２４】
図１を参照して、放送受信装置１００は、アンテナ６３およびモニタ４０を接続するとともに、外部のリモコン（リモートコントローラの略）６２から指令信号を受信する。アンテナ６３は、放送信号を受信し、受信した放送信号を放送受信装置１００に出力する。モニタ４０は、放送受信装置１００から出力された映像信号および音声信号を入力し、画面に画像を出力するとともに、スピーカから音声を出力する。
【００２５】
アンテナ６３は、図示のないテレビ放送局から電波で送信されてくる高周波数のＲＦ（Radio Frequency）信号であるデジタルテレビジョン放送信号を受信し、ＩＦ（Intermediate Frequency：中間周波数信号）に変換し放送受信装置１００に出力する。
【００２６】
リモコン６２は、ユーザによる操作を受付けて、操作に応じた指令信号を赤外線で放送受信装置１００に送信する。なお、リモコン６２から出力されるのは、赤外線の信号に限定されず、無線の信号であってもよい。また、リモコン６２および後述するリモコン受信部２６に代替して、または、リモコン６２およびリモコン受信部２６とともに、放送受信装置１００の本体に、ユーザからの操作を受付けて、操作信号を後述の制御部１０に出力する操作受付部を設けるようにしてもよい。
【００２７】
放送受信装置１００は、制御部１０、チューナ１６、デジタル復調器１８、ＨＤ放送の符号化方式に対応するＭＰＥＧ（Moving Picture Experts Group）に従った復号機能を有するＭＰＥＧデコーダ２２、信号処理部２３、ＴＳ（Transport Stream）信号を処理するＴＳ処理部２４、ＴＳ処理部２４から出力された後述のＳＩ(program Specific Information)に基づき後述のチャンネルのリストを作成し、作成したリストを制御部１０のメモリ１０Ｂに格納する情報作成・格納部２５、放送受信装置１００の各部に電力を供給するための電源（図面ではＰＷＲと略す）部２９を含む。
【００２８】
制御部１０は、プログラムを実行するＣＰＵ（Central Processing Unit）１０Ａと、各種のデータを記憶するメモリ１０Ｂとを含む。
【００２９】
チューナ１６は、アンテナ６３を介して受信した放送信号を入力し、入力した放送信号の中から、ＣＰＵ１０Ａからの指示（選局すべき物理チャンネルの情報を含む）に応じて選択した物理チャンネルに対応する放送信号を抽出して出力する。チューナ１６は、抽出した放送信号をデジタル復調器１８へ出力する。
【００３０】
デジタル復調器１８は、チューナ１６から放送信号を受けて、放送信号を映像および音声がデジタル符号化されたＴＳ信号に復調し、ＭＰＥＧデコーダ２２に出力する。
【００３１】
ＭＰＥＧデコーダ２２は、与えられるＴＳ信号を入力し、映像信号および音声信号に復号する。そして、復号した映像信号および音声信号を信号処理部２３に出力する。信号処理部２３は、ＭＰＥＧデコーダ２２から入力した映像信号および音声信号をモニタ４０に出力可能なように信号を処理し、信号処理した映像信号および音声信号をモニタ４０に出力する。モニタ４０は、与えられる映像信号を画像として表示し、音声信号をスピーカ（図示せず）から出力する。
【００３２】
また、ＭＰＥＧデコーダ２２は、与えられるＴＳ信号を、ＴＳ処理部２４に出力する。ＴＳ処理部２４は、入力するＴＳ信号から所定の情報を抽出し、抽出した後述のＳＩを情報作成・格納部２５に出力する。情報作成・格納部２５は、簡単なマイクロプロセッサの機能を有し、与えられるＳＩに基づき、チャンネルのリスト４１（後述する図３を参照）を作成する。作成したチャンネルのリスト４１は、情報作成・格納部２５によって、制御部１０のメモリ１０Ｂの所定領域に格納される。
【００３３】
信号処理部２３は、ＯＳＤ（On Screen Display）回路２３１を有する。ＯＳＤ回路２３１は、制御部１０から与えられるデータに基づく画像信号を生成し、その生成した信号を、信号処理部２３から出力される映像信号に重畳してモニタ４０に出力する。これにより、データに基づく画像が重畳した番組の映像がモニタ４０の画面に映し出される。
【００３４】
ここでデジタルテレビジョン放送に適用される規格には、たとえば日本のＩＳＤＢ−Ｔ（Integrated Services Digital Broadcasting for Terrestrial）規格の他に、米国のＡＴＳＣ（Advanced Television Systems Committee）規格およびヨーロッパのＤＶＢ−Ｔ（Digital Video Broadcasting for Terrestrial）規格がある。いずれの規格においても、物理チャンネルに多重化された論理チャンネルのコンテンツがＨＤ放送およびＳＤ放送のいずれかの方式に従い符号化されている。
【００３５】
本実施の形態では、たとえばヨーロッパのＤＶＢ−Ｔ規格（ＥＴＳＩ（European Telecommunications Standards Institute） ＥＮ ３００ ４６８）に従う、デジタルテレビジョン放送を例示して説明する。
【００３６】
図２には、本実施の形態に係るＤＶＢ−Ｔ規格に従うＴＳ信号の一例が模式的に示される。ＴＳ信号は、１つの物理チャンネルに対応し１つ存在する。物理チャンネルとは、実際にアンテナ６３およびチューナ１６が受信する周波数を表すチャンネルであり、番号で指示される。また、１つのＴＳ信号には、複数の論理チャンネルの放送用のコンテンツの符号化された信号（映像信号および音声信号など）が含まれる。符号化された画像・音声のそれぞれを、ＥＳ（エレメンタリストリーム:Elementary Stream)と呼ぶ。このように、１つの物理チャンネルに複数の論理チャンネルが多重化されている。
【００３７】
図２では、ＴＳ信号に、たとえば、ＴＶ（テレビジョン）局ＡとＴＶ局Ｂという２つの放送局が送信する番組コンテンツのための論理チャンネルそれぞれに対応して、映像と音声のコンテンツが含まれる。また、ＴＳ信号では複数の番組(プログラム）を取り扱うことが可能であるが、そのＴＳ信号にどのような番組が存在し、ＴＳ信号に含まれる各ＥＳがどの番組に属しているかを記した情報をＳＩ(program Specific Information)という。ＳＩは動画や音声とは、別にＴＳ信号に重畳されて送信される。ＳＩは、当該ＴＳ信号に含まれる論理チャンネルに関する情報として、ＥＩＴ、ＳＤＴ、ＰＭＴおよびＢＡＴを含む。これらの情報は、放送局によって生成されて重畳されて放送される。
【００３８】
ＥＩＴ(Event Information Table)は、各局が放送する番組の名称や放送日時、放送内容など、番組に関連する情報を含む。具体的には、各局の現在および次の放送番組に関する情報が含まれる。ＳＤＴ(Service Description Table)には、ＴＶ局が放送する各番組に対応する論理チャンネルを識別するために論理チャンネルの番号が含まれる。ＰＭＴ(Program Map Table)は、番組毎に、当該番組を構成する画像や音声などに共通して割当された識別情報と、当該番組のコンテンツの符号化方式の別を指す符号化情報を格納する。ＰＭＴを解析することで、ＴＳ信号に含まれる各画像や音声などのコンテンツの識別情報を得ることができるので、得られた同一の識別情報を有する映像または音声をＴＳ信号から抽出することで、各番組を再生することができる。
【００３９】
ＰＭＴが指す番組毎の符号化情報は、対応の番組のコンテンツがＨＤ放送およびＳＤ放送のいずれに従い符号化されているかの別を示す。ここでは、ＨＤ放送の符号化情報は‘Ｈ．２６４’を指示する。
【００４０】
ＢＡＴは、各ＴＶ局の番組の放送信号についてスクランブルがかかっているか否かを指すサービス情報を含む。
【００４１】
ＴＳ処理部２４は、ＭＰＥＧデコーダ２２から出力されたＴＳ信号を解析し、ＳＩを抽出し、情報作成・格納部２５に与える。
【００４２】
情報作成・格納部２５は、与えられるＳＩを入力し、入力した情報に基づいて、図３に示す論理チャンネルのリスト４１を作成し、作成したリスト４１をメモリ１０Ｂに格納する。
【００４３】
図３を参照してリスト４１は、物理チャンネルを指示するデータ４１０のそれぞれに関連付けて、当該物理チャンネルの多重化された複数の論理チャンネル（ＬＣＮ）を指示するデータ４１１が格納される。さらにデータ４１１のそれぞれに関連付けて、当該論理チャンネルによりコンテンツを放送するＴＶ（テレビジョン）局を指示するデータ４１２およびデータ４１３が格納される。データ４１３は、関連付けされた論理チャンネルのコンテンツが、ＳＤ放送およびＨＤ放送のいずれの方式に従い符号化されているかを指示する情報である。
【００４４】
図４と図５には、モニタ４０に表示されるチャンネルのリストの一例が示される。図４には、図３のチャンネルのリスト４１から作成されたＳＤ放送に従い符号化されたコンテンツを放送する論理チャンネルの一覧リスト４２が表示される。図４のリスト４２には、論理チャンネルのそれぞれを示すデータに対応して、当該論理チャンネルのコンテンツを放送するＴＶ局の識別情報が格納されている。
【００４５】
図５には、図３のチャンネルのリスト４１から作成されたＨＤ放送に従い符号化されたコンテンツを放送する論理チャンネルの一覧リスト４３が表示される。図５のリスト４３には、論理チャンネルそれぞれを指すデータに対応して、当該論理チャンネルのコンテンツを放送するＴＶ局の識別情報が格納される。したがって、ユーザは図４または図５のリストが表示されるモニタ画面を見ることにより、ＳＤ放送に従うコンテンツを放送している論理チャンネルはどれであるか、またはＨＤ放送に従うコンテンツを放送している論理チャンネルはどれであるかを一目で確認することができる。
【００４６】
図６には、放送受信装置１００で番組を視聴中に、ユーザが物理チャンネルの切替えをした場合に実行される処理フローチャートが示される。この処理フローチャートにより、図３のリスト４１が作成される。なお、記憶部１０Ｂにはリスト４１が、チャンネルスキャンなどにより予め作成されて格納されていると想定する。
【００４７】
まず、ＣＰＵ１０Ａは、リモコン６２を操作してユーザが視聴中の物理チャンネルの切替操作をしたか否かを検出し、切替操作をしたと検出すると、ステップＳ１の処理が行なわれる。
【００４８】
ステップＳ１において、ＣＰＵ１０Ａは切替え後の物理チャンネルを選局するようにチューナ１６を制御する。これにより、切替え後の物理チャンネルの放送信号がデジタル復調器１８に与えられる。これにより、切替え後の物理チャンネルの放送信号のＴＳ信号が、ＭＰＥＧデコーダ２２を介して出力される。出力されたＴＳ信号は、ＴＳ処理部２４に与えられる。ＴＳ処理部２４は入力するＴＳ信号からはＳＩを抽出して情報作成・格納部２５に出力する。また、ＣＰＵ１０Ａは、切替え後の物理チャンネルを指示する情報を情報作成・格納部２５に出力する。
【００４９】
次に、情報作成・格納部２５は入力した物理チャンネルの指示情報およびＳＩに基づき、メモリ１０Ｂの図３に示したチャンネルのリスト４１を更新する。
【００５０】
具体的には、情報作成・格納部２５は、ＳＩからＰＭＴを検出する（ステップＳ３）。情報作成・格納部２５は、検出したＰＭＴに基づき、現在の物理チャンネルに多重化された各論理チャンネルについて、当該チャンネルがＨ．２６４に従うＨＤ放送の信号であるか否かを検出する（ステップＳ５）。当該論理チャンネルはＨＤ放送であることを検出すると（＝Ｈ．２６４）、当該論理チャンネルを“ＨＤ”として、チャンネルのリスト４１に物理チャンネルのデータ４１０、論理チャンネルのデータ４１１、放送ＴＶ局のデータ４１２および“ＨＤ”を指示するデータ４１３を関連付けて格納（登録）する（ステップＳ７）。一方、Ｈ．２６４でないと検出すると（ステップＳ５でＮＯ）、当該論理チャンネルの情報を“ＳＤ”としてチャンネルのリスト４１に同様にデータ４１０、４１１、４１２および“ＳＤ”を指示するデータ４１３を関連付けて格納（登録）する（ステップＳ９）。
【００５１】
このとき、既にリスト４１に当該論理チャンネルのデータ４１０、４１１、４１２、４１３が格納済みである場合には、格納済みのこれらデータは、今回受信して抽出したデータ４１０、４１１、４１２、４１３により上書きされて更新され、リスト４１に未だ格納されていない場合には、今回受信して抽出したデータ４１０、４１１、４１２、４１３がリスト４１に新規に追加格納される。
【００５２】
その後、情報作成・格納部２５は、次の論理チャンネルがあるか否かを、ＳＩに基づき検出する（ステップＳ１１）。次の論理チャンネルがあると検出すると（ステップＳ１１でＹＥＳ）、次の論理チャンネルについてＰＭＴを検索する（ステップＳ１３）。その検索結果に従い、ステップＳ５の処理において、次位の論理チャンネルのコンテンツはＨＤ放送に従うか否かを前述と同様に検出する（ステップＳ５）。以降の処理は前述と同じである。
【００５３】
一方、次の論理チャンネルがないと検出すると（ステップＳ１１でＮＯ）、すべての論理チャンネルについてＰＭＴの検出と、リスト４１への格納処理は終了したので、一連の処理は終了する。これにより、記憶部１０のリスト４１の内容は更新される。
【００５４】
このようにリスト４１の内容はユーザによる物理チャンネルの切替え毎に、受信する放送信号に基づきリスト４１に格納される情報が更新されるように処理されるので、物理チャンネルに多重化される論理チャンネルの構成が比較的に頻繁に変更されるような放送方式であっても、リスト４１の内容を最新に近い状態に維持することが可能である。
【００５５】
たとえば、ＡＴＳＣ規格のようなデジタルテレビジョン放送では物理チャンネルで放送されている番組数、すなわち多重化されている論理チャンネル数が動的に変化することが知れられている。このため、物理チャンネル毎に該物理チャンネルで番組を放送している全ての論理チャンネルの放送番組の符号化方式を示す情報も動的に変化しうる。このような特質を有するデジタルテレビジョン放送を受信する場合であっても、リスト４１の内容を最新に近い状態に維持することが可能となる。
【００５６】
図７には、図３に示したチャンネルのリスト４１に基づき、“ＨＤ”方式に従う論理チャンネルのリストと“ＳＤ”方式に従う論理チャンネルのリストとを表示する手順が示される。
【００５７】
まず、ＣＰＵ１０Ａは、リモコン６２をユーザが操作し、何らかの指令が与えられたか否かをリモコン受信部２６から与えられる信号に基づき検出する（ステップＳ２１）。リモコンの操作がなされていないと検出すると（ステップＳ２１でＮＯ）、このリモコン６２からの入力があるまで待機する。
【００５８】
リモコン６２が操作されて、何らかの指令を入力したと検出すると（ステップＳ２１でＹＥＳ）、ＣＰＵ１０Ａは、与えられた指令に基づき、ＳＤ放送のチャンネルのリストまたはＨＤ放送のチャンネルのリストのいずれの表示要求であるかを検出する（ステップＳ２３、Ｓ２５）。これ以外の要求であると検出すると（ステップＳ２３でＮＯ）、当該指令に応じた他の処理へ移行する。この処理についての詳細はここでは説明しない。
【００５９】
一方、指令に基づき、ＳＤ放送のチャンネルのリストまたはＨＤ放送のチャンネルのリストの表示要求であると検出すると（ステップＳ２３でＹＥＳ）、さらに指令を解析して、要求リストの種類を検出する（ステップＳ２５）。ＨＤリストの表示要求であると検出すると（ステップＳ２５で‘ＨＤ’）、処理はステップＳ２７に移行する。
【００６０】
ステップＳ２７では、ＣＰＵ１０Ａはメモリ１０Ｂからリスト４３のデータを読出し、画像データを生成し、生成した画像データをＯＳＤ回路２３１に出力する。具体的には、リスト４１から、データ４１３が‘ＨＤ’を指示する、当該データ４１３に関連付けされたデータ４１２と４１１を読出し、図５のリスト４３を作成し、当該リストの画像データがＯＳＤ回路２３１に出力される。したがって、モニタ４０にはＯＳＤ回路２３１により図５のリストの画像が表示される。
【００６１】
一方、ＳＤリストの表示要求であると検出すると（ステップＳ２５で‘ＳＤ’）、処理はステップＳ２９に移行する。ステップＳ２９では、ＣＰＵ１０Ａはメモリ１０Ｂからリスト４２のデータを読出し、画像データを生成し、生成した画像データをＯＳＤ回路２３１に出力する。具体的には、リスト４１から、データ４１３が‘ＳＤ’を指示する、当該データ４１３に関連付けされたデータ４１２と４１１を読出し、図４のリスト４２を作成し、当該リストの画像データがＯＳＤ回路２３１に出力される。したがって、モニタ４０にはＯＳＤ回路２３１により図４のリストの画像が表示される。
【００６２】
ここでは、リスト４２と４３は、表示要求がある都度、リスト４１から作成するようにしているが、予め作成しておいてメモリ１０Ｂに格納しておいてもよい。たとえば、図６の手順に従いリスト４１が更新される毎に、リスト４２と４３を作成するようにしてもよい。
【００６３】
図５の画面で表示されるリストは、Ｈ．２６４方式（ＨＤ放送）に従い符号化されたコンテンツを放送するチャンネルのみが表示されるので、どのチャンネルがＨＤ放送対応であるかを直ぐに判別できて、放送受信装置１００がＨＤ放送に対応している場合にはＨＤ放送の選局をスムーズに行なうことができる。
【００６４】
また、図４の画面で表示されるリストは、ＳＤ放送に従い符号化されたコンテンツを放送するチャンネルのみが表示されるので、どのチャンネルがＳＤ放送対応であるかを直ぐに判別できて、放送受信装置１００がＳＤ放送に対応している場合にはＳＤ放送の選局をスムーズに行なうことができる。
【００６５】
なお、放送受信装置１００のＭＰＥＧデコーダ２２がＨＤ放送に対応した復号機能を有する場合には、ＳＤ放送のコンテンツに対しては、ＳＤ放送に従う復号を行なって出力する。したがって、モニタ４０には、ＳＤ放送のアスペクト比ゆえに画面の縦横に余白を残して画像が表示される。また、画像の解像度はＳＤ放送に従う標準解像度となる。
【００６６】
（他の表示例）
ここでは、ＳＤ放送とＨＤ放送という異なる符号化方式毎に、個別に、図４と図５の符号化方式毎のリストを表示するが、表示態様はこれに限定されない。
【００６７】
たとえば、リモコン６２から論理チャンネルのリスト表示を要求された場合には、図３のリスト４１のデータ４１１、４１２および４１３を読出し、これらデータを関連付けて表示するようにしてもよい。この場合の表示リストは、図３の破線枠で囲んだリスト４４に相当する。リスト４４が表示された場合であっても、ユーザはいずれのチャンネルがＨＤ放送に従うものか、またはＳＤ放送に従うものかを一目で判別することができる。
【００６８】
次に論理チャンネルの選局動作について説明する。
ＣＰＵ１０Ａはリモコン６２のユーザ操作による論理チャンネルの選択指示があると検出すると、選択された論理チャンネルのデータに基づきメモリ１０Ｂのリスト４１を検索して、選択された論理チャンネルのデータと一致するチャンネルを指示するデータ４１１に対応する物理チャンネルのデータ４１０をリスト４１から読出しチューナ１６に出力する。チューナ１６は与えられるデータ４１０が指す物理チャンネルの放送信号を、アンテナ６３から受信する放送信号から抽出して出力する。
【００６９】
また、ＣＰＵ１０Ａは、リモコン６２から指示された論理チャンネルの指示データを、ＭＰＥＧデコーダ２２に出力する。ＭＰＥＧデコーダ２２はＣＰＵ１０Ａからの指示データに基づき、選択された論理チャンネルの番組のコンテンツ（映像・音声のデータ）を、デジタル復調器１８から入力するＴＳ信号から、ＳＩに基づき抽出し、抽出した番組コンテンツのデータをデコード処理してモニタ４０側へ出力する。これにより、モニタ４０には、選択された論理チャンネルのコンテンツの映像・音声が出力される。
【００７０】
図８には、本実施の形態に係る放送受信装置１００と一体的に構成されるモニタ４０とリモコン６２の概観が示される。図を参照して、モニタ４０は、画面４０２を有し、前面部には、スピーカ４０１とリモコン６２から送信された指令信号を受信するための受信部１２４を有する。
【００７１】
リモコン６２は、ボタン群およびボタン群の操作に応じた指令信号を送信するための送信部４３１を含む。ボタン群は、放送受信装置１００の電源をＯＮ/ＯＦＦするために操作されるボタン、ＨＤ放送のチャンネルのリストを表示するために操作されるボタン４２１、ＳＤ放送のチャンネルのリストを表示するために操作されるボタン４２２、チャンネルを指定・切替えるためのボタン４２３、カーソル移動ボタン４２４および論理チャンネル指定のために操作されるボタン４２５を有する。
【００７２】
チャンネル切替えは、ボタン４２３の操作に限定されず、ボタン４２５を操作してもよい。ボタン４２５を操作することでチャンネルのＵＰ操作（現在の選局チャンネルから番号が大きいチャンネルに切替える操作）、またはＤＯＷＮ操作（現在の選局チャンネルから番号が小さいチャンネルに切替える操作）の指令信号を送信するとができる。
【００７３】
ボタン４２３は物理チャンネルおよび論理チャンネルの指定・切替えのために兼用される。この兼用を可能にするために、次のように操作が認識される。つまり、ボタン４２５に続いてボタン４２３が操作された場合には、ボタン４２３の操作は論理チャンネルの切替え操作であると検出されて、論理チャンネル切替えの指令信号が送信される。そうでない場合には、ボタン４２３の操作は物理チャンネルの切替え操作であると検出されて、物理チャンネル切替えの指令信号が送信される。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７５】
【図１】本実施の形態に係る放送受信装置の構成図である。
【図２】本実施の形態に係るＴＳ信号の構成を模式的に指す図である。
【図３】本実施の形態に係るメモリに格納されるチャンネルのリストの一例を示す図である。
【図４】本実施の形態に係るＳＤ放送のチャンネルのリストの表示の一例を示す図である。
【図５】本実施の形態に係るＨＤ放送のチャンネルのリストの表示の一例を示す図である。
【図６】本実施の形態に係るリスト作成の処理フローチャートである。
【図７】本実施の形態に係るリスト表示の処理フローチャートである。
【図８】本実施の形態に係る装置の概観を示す図である。
【符号の説明】
【００７６】
１０  制御部、１８  デジタル復調器、２２  ＭＰＥＧデコーダ、２３  信号処理部、２４  ＴＳ処理部、２５  情報作成・格納部、４０  モニタ、４１，４２，４３  チャンネルのリスト、６２  リモコン、１００  放送受信装置。
【図１】
2009177706.tif 000003
【図２】
2009177706.tif 000004
【図３】
2009177706.tif 000005
【図４】
2009177706.tif 000006
【図５】
2009177706.tif 000007
【図６】
2009177706.tif 000008
【図７】
2009177706.tif 000009
【図８】
2009177706.tif 000010